(57)【特許請求の範囲】
【請求項１】
赤色ＬＥＤ素子と非赤色ＬＥＤ素子とを含む照明装置と、前記照明装置の点灯を制御する照明制御部とを備え、前記照明制御部が、前記照明装置の照明光の照射開始時、前記非赤色ＬＥＤ素子の発光後に赤色ＬＥＤ素子が発光し、前記照明装置の照明光の照射終了時は、前記非赤色ＬＥＤ素子が消光するよりも前に前記赤色ＬＥＤ素子が消光するように、前記赤色ＬＥＤ素子および前記非赤色ＬＥＤ素子それぞれに電流を供給するタイミングを制御する照明器具であって、
前記非赤色ＬＥＤ素子は白色ＬＥＤ素子であり、該白色ＬＥＤ素子は、青色ＬＥＤ素子と、発光立ち上がり時定数が前記赤色ＬＥＤ素子および前記青色ＬＥＤ素子それぞれの発光立ち上がり時定数よりも長い黄色蛍光体とを含み、
前記照明制御部は、前記照明装置の照明光の照射開始時、前記青色ＬＥＤ素子に電流の供給を開始した後であって、かつ、前記黄色蛍光体の発光が上がり切るよりも前に、前記赤色ＬＥＤ素子への電流の供給を開始することを特徴とする照明器具。
【請求項２】
赤色ＬＥＤ素子と非赤色ＬＥＤ素子とを含む照明装置と、前記照明装置の点灯を制御する照明制御部とを備え、前記照明制御部が、前記照明装置の照明光の照射開始時、前記非赤色ＬＥＤ素子の発光後に赤色ＬＥＤ素子が発光し、前記照明装置の照明光の照射終了時は、前記非赤色ＬＥＤ素子が消光するよりも前に前記赤色ＬＥＤ素子が消光するように、前記赤色ＬＥＤ素子および前記非赤色ＬＥＤ素子それぞれに電流を供給するタイミングを制御する照明器具であって、
前記非赤色ＬＥＤ素子は白色ＬＥＤ素子であり、該白色ＬＥＤ素子は、青色ＬＥＤ素子と、発光立ち上がり時定数が前記赤色ＬＥＤ素子および前記青色ＬＥＤ素子それぞれの発光立ち上がり時定数よりも長い黄色蛍光体とを含み、
前記照明制御部は、前記照明装置の照明光の照射終了時、前記青色ＬＥＤ素子への電流の供給を停止した後であって、かつ、前記黄色蛍光体の発光が下がり切るよりも前に、前記赤色ＬＥＤ素子への電流の供給を停止することを特徴とする照明器具。
【請求項３】
赤色ＬＥＤ素子と非赤色ＬＥＤ素子とを含む照明装置と、前記照明装置の点灯を制御する照明制御部とを備え、前記照明制御部が、前記照明装置の照明光の照射開始時、前記非赤色ＬＥＤ素子の発光後に赤色ＬＥＤ素子が発光し、前記照明装置の照明光の照射終了時は、前記非赤色ＬＥＤ素子が消光するよりも前に前記赤色ＬＥＤ素子が消光するように、前記赤色ＬＥＤ素子および前記非赤色ＬＥＤ素子それぞれに電流を供給するタイミングを制御する照明器具であって、
前記非赤色ＬＥＤ素子は電球色ＬＥＤ素子であり、該電球色ＬＥＤ素子は、青色ＬＥＤ素子と、赤色蛍光体と、発光立ち上がり時定数が前記赤色ＬＥＤ素子および前記青色ＬＥＤ素子それぞれの発光立ち上がり時定数よりも長い緑色蛍光体とを含み、
前記照明制御部は、前記照明装置の照明光の照射開始時、前記青色ＬＥＤ素子に電流の供給を開始した後であって、かつ、前記緑色蛍光体の発光が上がり切るよりも前に、前記赤色ＬＥＤ素子への電流の供給を開始することを特徴とする照明器具。
【請求項４】
赤色ＬＥＤ素子と非赤色ＬＥＤ素子とを含む照明装置と、前記照明装置の点灯を制御する照明制御部とを備え、前記照明制御部が、前記照明装置の照明光の照射開始時、前記非赤色ＬＥＤ素子の発光後に赤色ＬＥＤ素子が発光し、前記照明装置の照明光の照射終了時は、前記非赤色ＬＥＤ素子が消光するよりも前に前記赤色ＬＥＤ素子が消光するように、前記赤色ＬＥＤ素子および前記非赤色ＬＥＤ素子それぞれに電流を供給するタイミングを制御する照明器具であって、
前記非赤色ＬＥＤ素子は電球色ＬＥＤ素子であり、該電球色ＬＥＤ素子は、青色ＬＥＤ素子と、赤色蛍光体と、発光立ち上がり時定数が前記赤色ＬＥＤ素子および前記青色ＬＥＤ素子それぞれの発光立ち上がり時定数よりも長い緑色蛍光体とを含み、
前記照明制御部は、前記照明装置の照明光の照射終了時、前記青色ＬＥＤ素子への電流の供給を停止した後であって、かつ、前記緑色蛍光体の発光が下がり切るよりも前に、前記赤色ＬＥＤ素子への電流の供給を停止することを特徴とする照明器具。
【請求項５】
赤色ＬＥＤ素子と白色ＬＥＤ素子とを含み、前記白色ＬＥＤ素子が、青色ＬＥＤ素子と、発光立ち上がり時定数が前記赤色ＬＥＤ素子および前記青色ＬＥＤ素子それぞれの発光立ち上がり時定数よりも長い黄色蛍光体とを含む照明装置の制御方法であって、
前記照明装置の照明光の照射開始時、前記青色ＬＥＤ素子に電流の供給を開始した後であって、かつ、前記黄色蛍光体の発光が上がり切るよりも前に、前記赤色ＬＥＤ素子への電流の供給を開始することで、前記白色ＬＥＤ素子の発光後に前記赤色ＬＥＤ素子を発光させ、前記照明装置の照明光の照射終了時は、前記赤色ＬＥＤ素子および前記白色ＬＥＤ素子それぞれに電流を供給するタイミングを制御して、前記白色ＬＥＤ素子が消光するよりも前に前記赤色ＬＥＤ素子を消光させることを特徴とする照明装置の制御方法。
【請求項６】
赤色ＬＥＤ素子と白色ＬＥＤ素子とを含み、前記白色ＬＥＤ素子が、青色ＬＥＤ素子と、発光立ち上がり時定数が前記赤色ＬＥＤ素子および前記青色ＬＥＤ素子それぞれの発光立ち上がり時定数よりも長い黄色蛍光体とを含む照明装置の制御方法であって、
前記照明装置の照明光の照射開始時、前記赤色ＬＥＤ素子および前記白色ＬＥＤ素子それぞれに電流を供給するタイミングを制御して、前記白色ＬＥＤ素子の発光後に前記赤色ＬＥＤ素子を発光させ、前記照明装置の照明光の照射終了時は、前記青色ＬＥＤ素子への電流の供給を停止した後であって、かつ、前記黄色蛍光体の発光が下がり切るよりも前に、前記赤色ＬＥＤ素子への電流の供給を停止することで、前記白色ＬＥＤ素子が消光するよりも前に前記赤色ＬＥＤ素子を消光させることを特徴とする照明装置の制御方法。
【請求項７】
赤色ＬＥＤ素子と電球色ＬＥＤ素子とを含み、前記電球色ＬＥＤ素子が、青色ＬＥＤ素子と、赤色蛍光体と、発光立ち上がり時定数が前記赤色ＬＥＤ素子および前記青色ＬＥＤ素子それぞれの発光立ち上がり時定数よりも長い緑色蛍光体とを含む照明装置の制御方法であって、
前記照明装置の照明光の照射開始時、前記青色ＬＥＤ素子に電流の供給を開始した後であって、かつ、前記緑色蛍光体の発光が上がり切るよりも前に、前記赤色ＬＥＤ素子への電流の供給を開始することで、前記電球色ＬＥＤ素子の発光後に前記赤色ＬＥＤ素子を発光させ、前記照明装置の照明光の照射終了時は、前記赤色ＬＥＤ素子および前記電球色ＬＥＤ素子それぞれに電流を供給するタイミングを制御して、前記電球色ＬＥＤ素子が消光するよりも前に前記赤色ＬＥＤ素子を消光させることを特徴とする照明装置の制御方法。
【請求項８】
赤色ＬＥＤ素子と電球色ＬＥＤ素子とを含み、前記電球色ＬＥＤ素子が、青色ＬＥＤ素子と、赤色蛍光体と、発光立ち上がり時定数が前記赤色ＬＥＤ素子および前記青色ＬＥＤ素子それぞれの発光立ち上がり時定数よりも長い緑色蛍光体とを含む照明装置の制御方法であって、
前記照明装置の照明光の照射開始時、前記赤色ＬＥＤ素子および前記電球色ＬＥＤ素子それぞれに電流を供給するタイミングを制御して、前記電球色ＬＥＤ素子の発光後に前記赤色ＬＥＤ素子を発光させ、前記照明装置の照明光の照射終了時は、前記青色ＬＥＤ素子への電流の供給を停止した後であって、かつ、前記緑色蛍光体の発光が下がり切るよりも前に、前記赤色ＬＥＤ素子への電流の供給を停止させることで、前記電球色ＬＥＤ素子が消光するよりも前に前記赤色ＬＥＤ素子を消光させることを特徴とする照明装置の制御方法。
【発明の詳細な説明】
【技術分野】
【０００１】
本発明は、発光ダイオードを光源とした照明器具に関する。
【背景技術】
【０００２】
近年、環境意識の向上に伴い、白熱電球や蛍光灯に替わる新しい光源として、長寿命で光変換効率も高い発光ダイオード（以下、ＬＥＤと記載）が注目されている。
【０００３】
例えば、特許文献１には、白色ＬＥＤ素子に赤色ＬＥＤ素子とを組み合わせて備えることで、照明光として電球色を出すことが可能な照明装置および照明器具が開示されている。一般的な白色ＬＥＤ素子は、青色ＬＥＤ素子と黄色蛍光体を組み合わせたものであるため、赤色成分が不足するが、赤色ＬＥＤ素子を備えることで、電球色を出すことが可能となっている。
【０００４】
なお、本明細書においては、ＬＥＤ素子を備えるがその駆動回路までは搭載していないものを照明装置と定義し、照明装置と、該照明装置の点灯を制御する照明制御部と、これらが配設される器具本体とを備えたものを照明器具と定義する。
【先行技術文献】
【特許文献】
【０００５】
【特許文献１】特開２００８−３００１２４号公報（２００８年１２月１１日公開）
【発明の概要】
【発明が解決しようとする課題】
【０００６】
しかしながら、特許文献１の照明器具では、赤色ＬＥＤ素子を備えた照明装置を駆動するにあたり、赤色ＬＥＤ素子と赤色以外の色のＬＥＤ素子（特許文献１では白色ＬＥＤ素子）との発光タイミングについては何ら考慮されていない。
【０００７】
そのため、照明光の照射開始時（例えば照明装置の点灯スイッチをオンした時）に、赤色ＬＥＤ素子が他の色のＬＥＤ素子よりも早く発光する場合があり、その場合、赤色光が視認されてしまう。赤色光は、誤動作や危険警報をイメージさせる色であるため、心理的なストレスを与える恐れがある。
【０００８】
また、照明光の照射終了時（例えば照明装置の点灯スイッチをオフした時）も同様で、赤色ＬＥＤ素子が他の色のＬＥＤ素子よりも遅く消光する場合がある。その場合も赤色光が視認されてしまい、上記と同様のストレスを与える恐れがある。
【０００９】
本発明は、赤色ＬＥＤ素子と他の色のＬＥＤ素子とを組み合わせなる照明装置を備えた照明器具において、心理的なストレスを与える恐れのない照明器具を提供することを目的としている。
【課題を解決するための手段】
【００１０】
本発明の照明器具は、上記課題を解決するために、赤色ＬＥＤ素子と赤色以外の色の非赤色ＬＥＤ素子とを含む照明装置と、前記照明装置の点灯を制御する照明制御部とを備え、前記照明制御部は、前記照明装置の照明光の照射開始時、前記非赤色ＬＥＤ素子の発光後に赤色ＬＥＤ素子が発光し、前記照明装置の照明光の照射終了時は、前記非赤色ＬＥＤ素子が消光するよりも前に前記赤色ＬＥＤ素子が消光するように、前記赤色ＬＥＤ素子および非赤色ＬＥＤ素子に電流を供給するタイミングを制御することを特徴としている。
【００１１】
上記構成によれば、照明制御部が、赤色ＬＥＤ素子および非赤色ＬＥＤ素子へ電流を供給するタイミングを制御することで、照明光の照射開始時は、非赤色ＬＥＤ素子の発光後に赤色ＬＥＤ素子が発光し、照明光の照射終了時は、非赤色ＬＥＤ素子が消光するよりも前に赤色ＬＥＤ素子が消光する。
【００１２】
したがって、照明光の照射開始時および照射終了時に、赤色ＬＥＤ素子から発せられた赤色光が視認されることで、誤動作や危険警報をイメージさせて心理的なストレスを与えるといった事態の招来を確実に防止することができる。
【００１３】
本発明の照明器具においては、さらに、前記非赤色ＬＥＤ素子は、青色ＬＥＤ素子と黄色蛍光体とからなる白色ＬＥＤ素子であり、前記黄色蛍光体の発光立ち上がり時定数が前記赤色ＬＥＤ素子および青色ＬＥＤ素子の発光立ち上がり時定数よりも長く、前記照明制御部は、前記照明装置の照明光の照射開始時、前記青色ＬＥＤ素子に電流の供給を開始した後であって、かつ、前記黄色蛍光体の発光が上がり切るよりも前に、前記赤色ＬＥＤ素子への電流の供給を開始する構成とすることもできる。青色ＬＥＤ素子と黄色蛍光体とからなるＬＥＤ素子は、いわゆる昼光色を発する白色ＬＥＤである。
【００１４】
上記構成によれば、照明光の照射開始時、青、赤、黄の順で混色され、照明装置の色は、青、紫、ピンクの順で変化する。
【００１５】
これにより、赤色光の単独発光によるストレスの回避効果に加えて、間に紫が入ることで、青からピンクへの色の変化を自然なものとできる。また、紫が入ることで、色目も美しく演出性も高くできる。
【００１６】
本発明の照明器具においては、さらに、前記非赤色ＬＥＤ素子は、青色ＬＥＤ素子と黄色蛍光体とからなる白色ＬＥＤ素子であり、前記黄色蛍光体の発光立ち下がり時定数が前記赤色ＬＥＤ素子および青色ＬＥＤ素子の発光立ち下がり時定数よりも長く、前記照明制御部は、前記照明装置の照明光の照射終了時、前記青色ＬＥＤ素子への電流の供給を停止した後であって、かつ、前記黄色蛍光体の発光が下がり切るよりも前に、前記赤色ＬＥＤ素子への電流の供給を停止する構成とすることもできる。青色ＬＥＤ素子と黄色蛍光体とからなるＬＥＤ素子は、いわゆる昼光色を発する白色ＬＥＤである。
【００１７】
上記構成によれば、照明光の照射終了時、青、赤、黄の順で減色され、照明装置の色は、ピンク、橙、黄の順で変化して消光する。
【００１８】
これにより、赤色光の単独発光によるストレスの回避効果に加えて、間に橙が入ることで、ピンクから黄或いは緑を介して消光に至るまでの色の変化を自然なものとできる。また、橙色が入ることで、色目も美しく演出性も高くできる。
【００１９】
本発明の照明器具においては、さらに、前記非赤色ＬＥＤ素子は、青色ＬＥＤ素子と赤色蛍光体および緑色蛍光体からなる電球色ＬＥＤ素子であり、少なくとも前記緑色蛍光体の発光立ち上がり時定数が前記赤色ＬＥＤ素子および青色ＬＥＤ素子の発光立ち上がり時定数よりも長く、前記照明制御部は、前記照明装置の照明光の照射開始時、前記青色ＬＥＤ素子に電流の供給を開始した後であって、かつ、前記緑色蛍光体の発光が上がり切るよりも前に、前記赤色ＬＥＤ素子への電流の供給を開始する構成とすることもできる。青色ＬＥＤ素子と赤色蛍光体および緑色蛍光体とからなるＬＥＤ素子は、電球色を発する電球色ＬＥＤ素子である。
【００２０】
上記構成によれば、照明光の照射開始時、青、赤、緑の順で混色され、照明装置の色は、青、紫、ピンクの順で変化する。
【００２１】
これにより、赤色光の単独発光によるストレスの回避効果に加えて、間に紫が入ることで、青からピンクへの色の変化を自然なものとできる。また、紫が入ることで、色目も美しく演出性も高くできる。
【００２２】
本発明の照明器具においては、さらに、前記非赤色ＬＥＤ素子は、青色ＬＥＤ素子と赤色蛍光体および緑色蛍光体からなる電球色ＬＥＤ素子であり、少なくとも前記緑色蛍光体の発光立ち下がり時定数が前記赤色ＬＥＤ素子および青色ＬＥＤ素子の発光立ち下がり時定数よりも長く、前記照明制御部は、前記照明装置の照明光の照射終了時、前記青色ＬＥＤ素子への電流の供給を停止した後であって、かつ、前記緑色蛍光体の発光が下がり切るよりも前に、前記赤色ＬＥＤ素子への電流の供給を停止する構成とすることもできる。
【００２３】
青色ＬＥＤ素子と黄色蛍光体とからなる白色系ＬＥＤ素子は、いわゆる昼光色を発する白色ＬＥＤである。一方、青色ＬＥＤ素子と赤色蛍光体および緑色蛍光体とからなる白色系ＬＥＤ素子は、電球色を発する電球色ＬＥＤ素子である。青色ＬＥＤ素子と赤色蛍光体および緑色蛍光体とからなるＬＥＤ素子は、電球色を発する電球色ＬＥＤ素子である。
【００２４】
上記構成によれば、照明光の照射終了時、青、赤、緑の順で減色され、照明装置の色は、ピンク、橙、緑の順で変化して消光する。
【００２５】
これにより、赤色光の単独発光によるストレスの回避効果に加えて、間に橙が入ることで、ピンクから黄或いは緑を介して消光に至るまでの色の変化を自然なものとできる。また、橙色が入ることで、色目も美しく演出性も高くできる。
【発明の効果】
【００２６】
本発明は、赤色ＬＥＤ素子と他の色のＬＥＤ素子とを組み合わせなる照明装置を備えた照明器具において、心理的なストレスを与える恐れのない照明器具を提供することができるという効果を奏する。
【図面の簡単な説明】
【００２７】
【図１】本発明の実施形態の照明器具を示す斜視図である。
【図２】本発明の実施形態の照明器具の光源基板を示す平面図である。
【図３】本発明の実施形態の照明器具の構成を示すブロック図である。
【図４】本発明の実施形態の照明器具のＬＥＤ素子発光機構の構成を示す説明図である。
【図５】（ａ)(ｂ）共に、白色ＬＥＤ素子と赤色ＬＥＤ素子とを組み合わせて点灯させてその合成光を照明光として照射する照明モードにおける、白色ＬＥＤ素子と赤色ＬＥＤ素子との点灯および消灯のタイミングを示すタイミングチャートである。
【図６】（ａ)(ｂ）共に、電球色ＬＥＤ素子と赤色ＬＥＤ素子とを組み合わせて点灯させてその合成光を照明光として照射する照明モードにおける、電球色ＬＥＤ素子と赤色ＬＥＤ素子との点灯および消灯のタイミングを示すタイミングチャートである。
【図７】（ａ)(ｂ）共に、電球色ＬＥＤ素子と赤色ＬＥＤ素子とを組み合わせて点灯させてその合成光を照明光として照射する照明モードにおける、電球色ＬＥＤ素子と赤色ＬＥＤ素子との点灯および消灯のタイミングの別の例を示すタイミングチャートである。
【発明を実施するための形態】
【００２８】
本発明の照明器具は、照明制御部が、照明光の照射開始時は、非赤色ＬＥＤ素子の発光後に赤色ＬＥＤ素子が発光し、照明装置の照明光の照射終了時は、非赤色ＬＥＤ素子が消光するよりも前に赤色ＬＥＤ素子が消光するように、赤色ＬＥＤ素子および非赤色ＬＥＤ素子に電流を供給するタイミングを制御するものである。
【００２９】
なお、以下においては、照明光の照射開始時として、照明器具における点灯スイッチがオンされたとき、照明光の照射終了時として、点灯スイッチがオフされたときを例示するが、照明光の照射開始時・照射終了時には、赤色ＬＥＤ素子、非赤色ＬＥＤ素子をＰＷＭ制御して点滅駆動する場合のパルス毎の点灯・消灯も含まれる。
【００３０】
以下、本発明の実施形態を、図面を参照して説明する。図１は照明器具を下方から見た全体斜視図である。照明器具１００はシーリングライトを構成し、室内の天井面に取り付けられる。照明器具１００は室内の側壁に取り付けられる照明器具であってもよい。
【００３１】
照明器具１００は上方に位置する室内天井面に固定される円形をなす略板状の本体１と、リモートコントローラ（不図示）とを備え、下方の室内床面を照明する。本体１は光源基板２と、反射板３と、フレーム４と、照明制御部５と、拡散レンズ（不図示）と、カバー（不図示）とを備えている。
【００３２】
光源基板２は平面視矩形に形成され、本体１に対して垂直または略垂直に起立した状態でフレーム４を介して本体１の下面に取り付けられている。光源基板２の表面には複数のＬＥＤ（Light Emitting Diode）素子（６ａ、６ｂ、６ｃ、図２参照）が設けられている。以下の説明において、白色ＬＥＤ素子６ａ、電球色ＬＥＤ素子６ｂ及び赤色ＬＥＤ素子６ｃを総称してＬＥＤ素子６という場合がある。光源基板２とフレーム４とで照明装置が構成される。
【００３３】
反射板３は、図１に示すように本体１の下面であって、光源基板２の径方向外側部分に設けられている。反射板３はＬＥＤ素子６が出射した光を床面方向に向かって反射させ、その反射光が床面を照射する。これにより、床面全体の照度が得られる。
【００３４】
フレーム４は本体１の上下に延びる中心軸線を中心とする正多角形（例えば図１では正八角形）または略正多角形をなしている。このフレーム４の正八角形の各辺に、ＬＥＤ素子６の光の出射方向が径方向外側を向くように光源基板２が取り付けられている。ＬＥＤ素子６は本体１の中心に対して放射状に径方向外側に向かって光を出射し、その光が反射板３に反射される。
【００３５】
照明制御部５は電源回路（図３参照）等を含む制御基板（不図示）を有し、フレーム４の径方向内側に配置されている。照明制御部５は本体１の径方向中心部に設けられた図示しない電源コネクタに接続され、この電源コネクタを介して外部電源から電力の供給を受ける。そして、照明制御部５はその電力をＬＥＤ素子６に供給してＬＥＤ素子６を発光させる。照明制御部５は、照明装置の点灯を制御する。
【００３６】
なお、図１では、便宜上図示していないが、拡散レンズは光源基板２の発光面の前面に取り付けられている。拡散レンズは、ＬＥＤ素子６が出射する光を均一に拡散させる。カバーは本体１の外径と略同径の円形をなし、本体１の周縁部に嵌合して保持されて本体１の下面全域を覆っている。カバーはＬＥＤ素子６が出射する光をさらに拡散させるとともに、人がその光を直視することを回避している。
【００３７】
このようにして、照明器具１００はＬＥＤ素子６が直接床面を照射しないので、人が天井方向を向いて照明を直視した場合でもＬＥＤ素子６の光が人の目に直接差し込み難く、目の負担を抑えることができる。
【００３８】
図２は光源基板２の平面図を示している。光源基板２にはそれぞれ複数の白色ＬＥＤ素子（非赤色ＬＥＤ素子）６ａ、電球色ＬＥＤ素子（非赤色ＬＥＤ素子）６ｂ及び赤色ＬＥＤ素子６ｃが例えば略横一列に並べて配置されている。本実施形態では９個の白色ＬＥＤ素子６ａと４個の電球色ＬＥＤ素子６ｂと３個の赤色ＬＥＤ素子６ｃが光源基板２に実装される。
【００３９】
ＬＥＤ素子６の配置や間隔等は反射板３への発光の均一性に影響を及ぼす。反射板３への発光が不均一になる場合、照度ムラなどが生じて照明器具１００の照明品質が低下することになる。特に、各ＬＥＤ素子６が異なる色で発光してその組み合わせで調色を行う場合、照度の不均一さが色ムラの原因となり照明器具１００の照明品質に大きく影響する。そのため、異なる色で発光する複数のＬＥＤ素子６を用いる場合、特にその配置や間隔が重要となる。
【００４０】
白色ＬＥＤ素子６ａは白色を発光するもので、青色ＬＥＤと黄色蛍光体とからなる。電球色ＬＥＤ素子６ｂは電球色で発光するもので、青色ＬＥＤと緑色蛍光体および赤色蛍光体とからなる。より詳しくは電球色ＬＥＤ素子６ｂは国際照明委員会が定めるｘｙ色度図上の点（０．４４５，０．４０８）を中心とするマグアダム楕円５−ｓｔｅｐで表される等色範囲の属する色で発光する。赤色ＬＥＤ素子６ｃは赤色で発光する。より詳しくは赤色ＬＥＤ素子６ｃは波長の極大値が５７５ｎｍ〜７８０ｎｍである色で発光する。
【００４１】
ここで、電球色ＬＥＤ素子６ｂの色は上記のようにｘｙ色度図上の点（０．４４５，０．４０８）を中心とするマグアダム楕円５−ｓｔｅｐで表される等色範囲の属する色であってある程度のばらつきがある。また、赤色ＬＥＤ素子６ｃの色も上記のように波長の極大値が５７５ｎｍ〜７８０ｎｍであってある程度の範囲がある。
【００４２】
このため、図２に示したように複数の白色ＬＥＤ素子６ａ、複数の電球色ＬＥＤ素子６ｂ及び複数の赤色ＬＥＤ素子６ｃを光源基板２に実装して発色のばらつきを抑えることができる。なお、色の異なる複数のＬＥＤ素子を１つのＬＥＤ素子として構成してもよい。
【００４３】
続いて、照明器具１００の制御に係る詳細な構成について、図２に加えて図３及び図４を用いて説明する。図３は照明器具１００の構成を示すブロック図、図４は照明器具１００のＬＥＤ素子発光機構の構成を示す説明図である。
【００４４】
照明制御部５は、図３に示すように電源回路１０を備えている。電源回路１０は交流電源（ＡＣ入力、１００Ｖ）から電力の供給を受けて直流電圧に変換し、照明器具１００の各部に電力を供給する。なお、本実施形態において、電源回路１０は一例として制御電源供給回路１４及び光源基板２に電力を供給しているように示しているが、特にこれに限らず他の部位に対しても必要な電力が供給されるものとする。
【００４５】
照明制御部５は電源回路１０に加えて、ＣＰＵ（Central Processing Unit）１１と、
メモリ１２と、ＰＷＭ（Pulse Width Modulation）制御回路１３と、制御電源供給回路１４と、入力部１５とを備えている。一例としてＣＰＵ１１、メモリ１２及びＰＷＭ制御回路１３はマイクロコンピュータによって構成される。
【００４６】
ＣＰＵ１１は各部と接続されるとともに、照明器具１００全体を制御するために必要な動作を指示する。ＣＰＵ１１は図示しないスイッチと無線または有線にて接続され、入力部１５にて当該スイッチの操作に応答した指示入力を受け付ける。
【００４７】
メモリ１２は照明器具１００を制御するための各種プログラム及び初期値等が格納されるとともに、ＣＰＵ１１のワーキングメモリとしても用いられる。
【００４８】
ＰＷＭ制御回路１３はＣＰＵ１１からの指示に従ってＬＥＤ素子６を駆動するために必要なＰＷＭパルスを生成する。
【００４９】
制御電源供給回路１４は電源回路１０から供給される電力の電圧をＣＰＵ１１に供給するために調整する。
【００５０】
光源基板２には前述のように白色ＬＥＤ素子６ａと電球色ＬＥＤ素子６ｂと赤色ＬＥＤ素子６ｃとの３種類のＬＥＤ素子６が配置されるとともに、各ＬＥＤ素子６を駆動するためのＦＥＴ（Field Effect Transistor）スイッチ２１、２２、２３が配置されている。
【００５１】
なお、説明の便宜上、図３には白色ＬＥＤ素子６ａと電球色ＬＥＤ素子６ｂと赤色ＬＥＤ素子６ｃとをそれぞれ１つずつ描画しているが、図２のように白色ＬＥＤ素子６ａと電球色ＬＥＤ素子６ｂと赤色ＬＥＤ素子６ｃはそれぞれ複数設けられる。また、ＦＥＴスイッチ２１、２２、２３はＰＷＭ制御回路１３にあっても良い。
【００５２】
次に、ＬＥＤ素子６の発光機構の詳細について説明する。ＣＰＵ１１はＰＷＭ制御回路１３に指示し、白色ＬＥＤ素子６ａと電球色ＬＥＤ素子６ｂと赤色ＬＥＤ素子６ｃとの少なくとも１種類を発光させるためのＰＷＭパルス信号Ｍ１、Ｍ２、Ｍ３を生成して出力する。
【００５３】
白色ＬＥＤ素子６ａ、電球色ＬＥＤ素子６ｂ及び赤色ＬＥＤ素子６ｃは電源回路１０から必要な電力の供給を受ける。白色ＬＥＤ素子６ａ、電球色ＬＥＤ素子６ｂ及び赤色ＬＥＤ素子６ｃと接地電圧ＧＮＤとの間にはＦＥＴスイッチ２１、２２、２３がそれぞれ設けられている。
【００５４】
ＰＷＭパルス信号Ｍ１、Ｍ２、Ｍ３に応答してＦＥＴスイッチ２１、２２、２３が導通、非導通となることにより白色ＬＥＤ素子６ａ、電球色ＬＥＤ素子６ｂ、赤色ＬＥＤ素子６ｃに電流が供給、遮断される。白色ＬＥＤ素子６ａ、電球色ＬＥＤ素子６ｂ、赤色ＬＥＤ素子６ｃに電流が供給されると、これらＬＥＤ素子６はそれぞれ発光する。
【００５５】
そして、詳細については後述するが、ＣＰＵ１１はＰＷＭ制御回路１３に指示することで、非赤色ＬＥＤ素子である白色ＬＥＤ素子６ａあるいは電球色ＬＥＤ素子６ｂあるいはその両方と、赤色ＬＥＤ素子６ｃとを点灯させてその合成光を照明光として照射するにあたり、赤色ＬＥＤ素子６ｃと、白色ＬＥＤ素子６ａあるいは電球色ＬＥＤ素子６ｂあるいはその両方とに電流を供給するタイミングを以下のように制御する。
【００５６】
つまり、照明装置の照明光の照射開始時、白色ＬＥＤ素子６ａあるいは電球色ＬＥＤ素子６ｂあるいはその両方の発光後に赤色ＬＥＤ素子６ｃが発光し、前記照明装置の照明光の照射終了時は、白色ＬＥＤ素子６ａあるいは電球色ＬＥＤ素子６ｂあるいはその両方が消光するよりも前に赤色ＬＥＤ素子６ｃが消光するように、ＬＥＤ素子６への電流を供給するタイミングを制御する。
【００５７】
これにより、ＰＷＭ制御回路１３は、照明光の照射開始時は、白色ＬＥＤ素子６ａあるいは電球色ＬＥＤ素子６ｂあるいはその両方の電流の供給が開始された後に、赤色ＬＥＤ素子６ｃへの電流の供給が開始されるようなＰＷＭパルス信号Ｍ１、Ｍ２、Ｍ３を生成して出力する。一方、照明光の照射終了時は、赤色ＬＥＤ素子６ｃへの電流の供給が停止された後に、白色ＬＥＤ素子６ａあるいは電球色ＬＥＤ素子６ｂあるいはその両方の電流の供給が停止されるようなＰＷＭパルス信号Ｍ１、Ｍ２、Ｍ３を生成して出力する。
【００５８】
なお、白色ＬＥＤ素子６ａ、電球色ＬＥＤ素子６ｂ、赤色ＬＥＤ素子６ｃを発光させる構成について説明したが、他のＬＥＤ素子がさらに複数個設けられている場合についても同様である。
【００５９】
上記発光機構によって各ＬＥＤ素子６がリモートコントローラ（不図示）の操作に応じた光量で発光し、複数の照明色の照明光が照射される。
【００６０】
例えば、照明器具１００は黄赤色の照明色またはオレンジピンク色の照明色の照明光を照射する。これにより、居室内のユーザのメラトニン分泌を妨げず、副交感神経を優位にすることができる。その結果、照明器具１００は就寝時の入眠潜時を短縮して沿う睡眠時間が延長され、睡眠効率を向上することができる。また、照明器具１００は休憩時や団欒時にくつろぎと癒やしをもたらして蓄積された疲労感を軽減することができる。なお、「黄赤色」及び「オレンジピンク色」はＪＩＳ規格（ＪＩＳ  Ｚ  ８１１０）で規定される光源色に相当する。
【００６１】
上記構成の照明器具１００は複数の照明モードを備えている。そして、照明器具１００において、リモートコントローラによって所望の照明モードが選択される。これにより、ＣＰＵ１１は白色ＬＥＤ素子６ａ、電球色ＬＥＤ素子６ｂ、赤色ＬＥＤ素子６ｃが予め規定された強度で発光するようにＰＷＭ制御回路１３に指示する。ＰＷＭ制御回路１３はＣＰＵ１１の指示によりＰＷＭパルス信号Ｍ１、Ｍ２、Ｍ３を出力させ、各照明モードに応じた照明色となるよう調色する。
【００６２】
次に、図５（ａ)(ｂ）〜図７（ａ)(ｂ）を用いて、赤色ＬＥＤ素子６ｃを、白色ＬＥＤ素子６ａあるいは電球色ＬＥＤ素子６ｂあるいはその両方と組み合わせて点灯させてその合成光を照明光として照射する照明モードにおける、ＬＥＤ素子６に電流を供給するタイミングの制御について説明する。
【００６３】
なお、図５（ａ)(ｂ）〜図７（ａ)(ｂ）の説明において用いるＬＥＤ素子６の「点灯」は、リモートコントローラの操作で選択された照明モードにおける照明光の照射開始におけるＬＥＤ素子６への電流の供給開始を意味し、ＰＷＭ制御に点滅駆動されるＬＥＤ素子６のパルス毎の点灯・消灯における点灯を意味するものではない。同様に、図５（ａ)(ｂ）〜図７（ａ)(ｂ）の説明において用いるＬＥＤ素子６の「消灯」も、リモートコントローラの操作で選択された照明モードにおける照明光の照射終了におけるＬＥＤ素子６への電流の供給の停止（遮断）を意味し、ＰＷＭ制御に点滅駆動されるＬＥＤ素子６のパルス毎の点灯・消灯における消灯を意味するものではない。
【００６４】
図５（ａ)、図５(ｂ）はそれぞれ、白色ＬＥＤ素子６ａと赤色ＬＥＤ素子６ｃとを組み合わせて点灯させてその合成光を照明光として照射する照明モードにおける、白色ＬＥＤ素子６ａおよび赤色ＬＥＤ素子６ｃの点灯・消灯タイミングを示すタイミングチャートである。図５（ａ)、図５(ｂ）においては、白色ＬＥＤ素子６ａとしては、黄色蛍光体の発光立ち上がり時定数および発光立ち下がり時定数が、赤色ＬＥＤ素子６ｃおよび白色ＬＥＤ素子６ａにおける青色ＬＥＤ素子の発光立ち上がり時定数および発光立ち下がり時定数よりも長いものを用いている。白色の光と赤色の光との合成光であるので、照明光はオレンジみのないピンク色Ａとなる。
【００６５】
図５（ａ)、図５(ｂ）の何れにおいても、照射開始時、白色ＬＥＤ素子６ａを先に点灯させ、その後、赤色ＬＥＤ素子６ｃを点灯させている。このような点灯手順とすることで、照射開始時に、誤動作や危険警報をイメージさせる恐れがある赤色の光だけが単独で視認されることを確実に阻止して、心理的なストレスを与えることを防止できる。
【００６６】
また、図５（ａ)、図５(ｂ）の何れにおいても、照射終了時は、白色ＬＥＤ素子６ａの残光が少なくとも残っている状態で、赤色ＬＥＤ素子６ｃを消灯させている。白色ＬＥＤ素子６ａの残光とは、青色ＬＥＤが消灯されても、黄色蛍光体より発せられる光のことである。このような消灯手順とすることで、照射終了時においても、誤動作や危険警報をイメージさせる恐れがある赤色の光だけが単独で視認されることを確実に阻止して、心理的なストレスを与えることを防止できる。
【００６７】
続いて、図５（ａ)および図５(ｂ）の点灯・消灯タイミングの違いによる照明装置の色の変化に着目してこれを説明する。
【００６８】
図５（ａ）では、照射開始時、白色ＬＥＤ素子６ａにおける黄色蛍光体の発光が上がり切るよりも前に赤色ＬＥＤ素子６ｃを点灯する。したがって、青、赤、黄の順に混合（加色）され、カバー越しに見える色は、青色（青色ＬＥＤ素子の光）→紫色（青色ＬＥＤ素子の光＋赤色ＬＥＤ素子の光）→ピンク色Ａ（青色ＬＥＤ素子の光＋赤色ＬＥＤ素子の光＋黄色蛍光体の光）に変化する。
【００６９】
一方、図５（ｂ）では、照射開始時、白色ＬＥＤ素子６ａにおける黄色蛍光体の発光が上がり切った後に赤色ＬＥＤ素子６ｃを点灯する。したがって、青、黄、赤の順に混合（加色）され、カバー越しに見える色は、青色（青色ＬＥＤ素子の光）→白色（青色ＬＥＤ素子の光＋黄色蛍光体の光）→ピンク色Ａ（青色ＬＥＤ素子の光＋黄色蛍光体の光＋赤色ＬＥＤ素子の光）に変化する。
【００７０】
図５（ａ)の点灯・消灯タイミングと図５(ｂ）の点灯・消灯タイミングとでは、照射開始時、青色からピンク色Ａへと変化する過程において、間に紫色を挟むか白色を挟むかの違いがある。両者を比較した場合、図５（ａ)の紫色を間に挟む方が図５（ｂ）の白色を間に挟むよりも、青色からピンク色Ａへの変化を自然なものとできる。また、紫が入ることで、色目も美しく演出性も高くできる。
【００７１】
また、図５（ａ）では、照射終了時、白色ＬＥＤ素子６ａにおける青色ＬＥＤ素子を消灯した後、黄色蛍光体の発光が下がり切るよりも前に赤色ＬＥＤ素子６ｃを消灯する。したがって、青、赤、黄の順で減色され、カバー越しに見える色は、ピンク色Ａ（青色ＬＥＤ素子の光＋赤色ＬＥＤ素子の光＋黄色蛍光体の光）→橙色（黄色蛍光体の光＋赤色ＬＥＤ素子の光）→黄色（黄色蛍光体の光）に変化して消光する。
【００７２】
一方、図５（ｂ）では、照射終了時、赤色ＬＥＤ素子６ｃを消灯した後、白色ＬＥＤ素子６ａを消灯する。したがって、青、赤、緑の順で減色され、カバー越しに見える色は、ピンク色Ａ（青色ＬＥＤ素子の光＋赤色ＬＥＤ素子の光＋黄色蛍光体の光）→白色（青色ＬＥＤ素子の光＋黄色蛍光体の光）→黄色（黄色蛍光体の光）に変化して消光する。
【００７３】
図５（ａ) の点灯・消灯タイミングと図５(ｂ）の点灯・消灯タイミングとでは、照射終了時、ピンク色Ａの光が黄色へ変化して消えるまでの過程において、間に橙色を挟むか白色を挟むかの違いがある。両方を比較した場合、図５（ａ)の橙色を間に挟む方が図５（ｂ）の白色を間に挟むよりも、ピンク色Ａから黄色への変化を自然なものとできる。また、橙が入ることで、色目も美しく演出性も高くできる。
【００７４】
図６（ａ)、図６(ｂ）はそれぞれ、電球色ＬＥＤ素子６ｂと赤色ＬＥＤ素子６ｃとを組み合わせて点灯させてその合成光を照明光として照射する照明モードにおける、電球色ＬＥＤ素子６ｂおよび赤色ＬＥＤ素子６ｃの点灯・消灯タイミングを示すタイミングチャートである。図６（ａ)、図６(ｂ）においては、電球色ＬＥＤ素子６ｂとして、緑色蛍光体および赤色蛍光体の発光立ち上がり時定数がほぼ同じで、発光立ち下がり時定数も両蛍光体でほぼ同じものを用いている。さらに、これら緑色蛍光体および赤色蛍光体の発光立ち上がり時定数および発光立ち下がり時定数は、赤色ＬＥＤ素子６ｃおよび電球色ＬＥＤ素子６ｂにおける青色ＬＥＤの発光立ち上がり時定数および発光立ち下がり時定数よりも長い。電球色の光と赤色の光との合成光であるので、照明光はオレンジみの強いピンク色Ｂとなる。
【００７５】
これにおいても、図６（ａ)、図６(ｂ）の何れも、照射開始時、電球色ＬＥＤ素子６ｂを先に点灯させ、その後、赤色ＬＥＤ素子６ｃを点灯させている。このような点灯手順とすることで、照射開始時に、誤動作や危険警報をイメージさせる恐れがある赤色の光だけが単独で視認されることを確実に阻止して、心理的なストレスを与えることを防止できる。
【００７６】
また、図６（ａ)、図６(ｂ）の何れにおいても、照射終了時は、電球色ＬＥＤ素子６ｂの残光が少なくとも残っている状態で、赤色ＬＥＤ素子６ｃを消灯させている。電球色ＬＥＤ素子６ｂの残光とは、青色ＬＥＤが消灯されても、緑色および赤色の各蛍光体から発せられる光のことである。このような消灯手順とすることで、照射終了時においても、誤動作や危険警報をイメージさせる恐れがある赤色の光だけが単独で視認されることを確実に阻止して、心理的なストレスを与えることを防止できる。
【００７７】
続いて、図６（ａ)および図６(ｂ）の点灯・消灯タイミングの違いによる照明装置の色の変化に着目してこれを説明する。
【００７８】
図６（ａ）では、照射開始時、電球色ＬＥＤ素子６ｂにおける緑色および赤色の各蛍光体の発光が上がり切るよりも前に赤色ＬＥＤ素子６ｃを点灯する。したがって、青、赤、黄の順に混合（加色）され、カバー越しに見える色は、青色（青色ＬＥＤ素子の光）→紫色（青色ＬＥＤ素子の光＋赤色ＬＥＤの光）→ピンク色Ｂ（青色ＬＥＤ素子の光＋赤色ＬＥＤ素子の光＋赤色および緑色の各蛍光体の光）に変化する。
【００７９】
一方、図６（ｂ）では、照射開始時、電球色ＬＥＤ素子６ｂにおける緑色および赤色の各蛍光体の発光が上がり切った後に赤色ＬＥＤ素子６ｃを点灯する。したがって、青、黄、赤の順に混合（加色）され、カバー越しに見える色は、青色（青色ＬＥＤ素子の光）→電球色（青色ＬＥＤ素子の光＋赤色および緑色の各蛍光体の光）→ピンク色Ｂ（青色ＬＥＤ素子の光＋赤色および緑色の各蛍光体の光＋赤色ＬＥＤの光）に変化する。
【００８０】
図６（ａ) の点灯・消灯タイミングと図６(ｂ）の点灯・消灯タイミングとでは、図５（ａ)と図５(ｂ）の場合と同様に、照射開始時、青色からピンク色Ｂへと変化する過程において、間に紫色を挟む図６（ａ)の方が図６（ｂ）よりも、青色からピンク色Ｂの変化を自然なものとでき、また、色目も美しく演出性も高くできる。
【００８１】
また、図６（ａ）では、照射終了時、電球色ＬＥＤ素子６ｂにおける青色ＬＥＤを消灯した後、赤色および緑色の各蛍光体の発光が下がり切るよりも前に赤色ＬＥＤ素子６ｃを消灯する。したがって、青、赤、黄の順で減色され、カバー越しに見える色は、ピンク色Ｂ（青色ＬＥＤ素子の光＋赤色ＬＥＤ素子の光＋赤色および緑色の各蛍光体の光）→橙色（赤色および緑色の各蛍光体の光＋赤色ＬＥＤ素子の光）→黄色（赤色および緑色の各蛍光体の光）に変化して消光する。
【００８２】
一方、図６（ｂ）では、照射終了時、赤色ＬＥＤ素子６ｃを消灯した後、電球色ＬＥＤ素子６ｂを消灯する。したがって、赤、青、黄の順で減色され、カバー越しに見える色は、ピンク色Ｂ（青色ＬＥＤ素子の光＋赤色ＬＥＤ素子の光＋黄色蛍光体の光）→電球色（青色ＬＥＤ素子の光＋赤色および緑色の各蛍光体の光）→黄色（赤色および緑色の各蛍光体の光）に変化して消光する。
【００８３】
図６（ａ) の点灯・消灯タイミングと図６(ｂ）の点灯・消灯タイミングとでは、図５（ａ)と図５(ｂ）の場合と同様に、照射終了時、ピンク色Ｂの光が黄色へ変化して消えるまでの過程において、間に橙色を挟む図６（ａ)の方が図６（ｂ）よりも、ピンク色Ｂから黄色への変化を自然なものとできる。また、橙が入ることで、色目も美しく演出性も高くできる。
【００８４】
また、図７（ａ)、図７(ｂ）はそれぞれ、電球色ＬＥＤ素子６ｂと赤色ＬＥＤ素子６ｃとを組み合わせて点灯させてその合成光を照明光として照射する照明モードにおける、さらに別の電球色ＬＥＤ素子６ｂおよび赤色ＬＥＤ素子６ｃの点灯・消灯のタイミングを示すタイミングチャートである。図７（ａ)、図７(ｂ）においては、電球色ＬＥＤ素子６ｂにおける赤色蛍光体の発光立ち上がり時定数および発光立ち上がり時定数が、図６（ａ)(ｂ）よりもさらに長いものが用いられている。なお、電球色の光と赤色の光との合成光であるので、照明光はオレンジみの強いピンク色Ｂとなる。
【００８５】
赤色蛍光体の発光立ち上がり時定数が、図６（ａ)(ｂ）と異なることで、照射開始時、図７（ａ)では、紫色の後に薄いピンク色を介してピンク色Ｂに変化する。また、図７（ｂ)では、赤色の発光が遅れるため、シアン色を介してピンク色Ｂに変化する。また、赤色蛍光体の発光立ち下がり時定数が、図６（ａ)(ｂ）と異なることで、照射終了時、図７（ａ)では、黄色の後に弱い赤色を経て消光する。また、図７（ｂ)でも、黄色の後に弱い赤色を経て消光する。なお、電球色ＬＥＤ素子６ｂの赤色蛍光体の残光による発光なので、非常に弱く、心理的なストレスを与えるものではない。
【００８６】
白色ＬＥＤ素子６ａ、電球色ＬＥＤ素子６ｂにおける、蛍光体の発光立ち上がり時定数および発光立ち上がり時定数と、青色ＬＥＤ素子および赤色ＬＥＤ素子６ｃの発光立ち上がり時定数および発光立ち上がり時定数の一例を挙げるとすれば、以下のとおりである。
【００８７】
例えば、赤色ＬＥＤ素子６ｃに発光立ち上がり時定数が数１０ｎｓｅｃ以下のものを選び、黄色蛍光体や緑色蛍光体に、それよりも発光立ち上がり時定数が長い０．１μｓｅｃ程度のＥｕ２＋系蛍光体を使った白色ＬＥＤ素子６ａ、電球色ＬＥＤ素子６ｂを組み合わせてもよい。青色ＬＥＤ素子の発光立ち上がり時定数は、黄色蛍光体や緑色蛍光体の発光立ち上がり時定数よりも短いものを選択する。また、この場合、さらに、電球色ＬＥＤ素子６ｂにおける赤色蛍光体には、立ち上がり時定数が０．５ｍｓｅｃ程度のＭｎ４＋系蛍光体を使うこともできる。
【００８８】
また、赤色ＬＥＤ素子６ｃに立ち下がり時定数が数１０ｎｓｅｃ以下のものを選び、黄色蛍光体や緑色蛍光体に、それよりも発光立ち下がり時定数が長い１μｓｅｃ程度のＥｕ２＋系蛍光体を使った白色ＬＥＤ素子６ａ、電球色ＬＥＤ素子６ｂを組み合わせてもよい。白色ＬＥＤと組み合わせる。青色ＬＥＤ素子の発光立ち下がり時定数は、黄色蛍光体や緑色蛍光体の発光立ち下がり時定数よりも短いものを選択する。また、この場合、さらに、電球色ＬＥＤ素子６ｂにおける赤色蛍光体には、立ち下がり時定数が５ｍｓｅｃ程度のＭｎ４＋系蛍光体を使うこともできる。
【００８９】
白色ＬＥＤ素子６ａ、電球色ＬＥＤ素子６ｂにおいて、それらの蛍光体が完全に立ち上がった状態で、赤色ＬＥＤ素子６ｃを点灯する場合には、白色ＬＥＤ素子６ａの黄色蛍光体、電球色ＬＥＤ素子６ｂの緑色蛍光体としては、発光立ち上がり時定数が短い１０ｎｓｅｃ程度のＣｅ３＋系蛍光体を使うことが望ましい。青色ＬＥＤ素子の発光立ち上がり時定数も、黄色蛍光体や緑色蛍光体の発光立ち上がり時定数よりも短いものを選択する。
【００９０】
また、上記の説明においては、照明光の照射開始時および照射終了時に、赤色ＬＥＤ素子６ｃの赤色光が単独に視認されないように、赤色ＬＥＤ素子６ｃおよび非赤色ＬＥＤ素子（６ａ，６ｂ）の発光・消光のタイミングを制御する構成を例示したが、本発明はこれに限るものではない。
【００９１】
例えば、赤色ＬＥＤ素子６ｃと非赤色ＬＥＤ素子（６ａ，６ｂ）とをＰＷＭ制御して点滅駆動させる場合にも、赤色ＬＥＤ素子６ｃの点滅駆動が単独で視認されないように、ＰＷＭパルス信号のパルス毎に、赤色ＬＥＤ素子６ｃおよび非赤色ＬＥＤ素子（６ａ，６ｂ）の発光・消光のタイミングを制御する構成とすることもできる。
【００９２】
また、上記の説明においては、ＬＥＤ素子６をＰＷＭ制御にて点滅駆動し、調光・調色もＰＷＭ制御において実施する構成を例示したが、駆動方式はこれに限らず、また・調光・調色を電流値を調整する方法で実施する構成であってもよい。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９４】
本発明は、発光ダイオードを光源とした照明器具に利用することができる。
【符号の説明】
【００９５】
１  本体
２  光源基板
３  反射板
４  フレーム
５  照明制御部
６  ＬＥＤ素子
６ａ  白色ＬＥＤ素子
６ｂ  電球色ＬＥＤ素子
６ｃ  赤色ＬＥＤ素子
１０  電源回路
１１  ＣＰＵ
１２  メモリ
１３  ＰＷＭ制御回路
１４  制御電源供給回路
１５  入力部
２１  ＦＥＴスイッチ
１００  照明器具
【図１】
0005902008.tif 000002
【図２】
0005902008.tif 000003
【図３】
0005902008.tif 000004
【図４】
0005902008.tif 000005
【図５】
0005902008.tif 000006
【図６】
0005902008.tif 000007
【図７】
0005902008.tif 000008